(57)【要約】【課題】就寝から起床まで腹臥位姿勢を快適に維持できる腹臥位用敷き寝具セットを提供する。【解決手段】枕部１と、マットレス部２と、腹臥位姿勢にある使用者の胸部を支持するようにマットレス部２上に載置される胸部補助具３とを備える腹臥位用敷き寝具セットが提供される。枕部１は、平面で見て使用者の額を支持可能な額部１Ａと、頬を支持可能な頬部１Ｂと、両目を受け入れ可能な眼球溝１Ｃと、鼻及び口を受け入れ可能な鼻口溝１Ｄとを備えている。眼球溝１Ｃと鼻口溝１Ｄとは、枕部１を厚さ方向に貫通する単一の呼気拡散部を形成するように互いに連通しており、鼻口溝１Ｄは、使用者の顎側で開放されている。【選択図】図１
2014150979.tif 000002
【特許請求の範囲】
【請求項１】
枕部と、マットレス部と、腹臥位姿勢にある使用者の胸部を支持するように前記マットレス部上に載置される胸部補助具とを備える腹臥位用敷き寝具セットであって、
前記枕部は、平面で見て前記使用者の額を支持可能な額部と、頬を支持可能な頬部と、両目を受け入れ可能な眼球溝と、鼻及び口を受け入れ可能な鼻口溝とを備えており、
前記眼球溝と前記鼻口溝とは、前記枕部を厚さ方向に貫通する単一の呼気拡散部を形成するように互いに連通しており、前記鼻口溝は、前記使用者の顎側で開放されている、腹臥位用敷き寝具セット。
【請求項２】
請求項１に記載の腹臥位用敷き寝具セットであって、
前記枕部における、平面で見て前記眼球溝の下方に、前記使用者の上顎骨を支持することのできる上顎骨部が形成されている、腹臥位用敷き寝具セット。
【請求項３】
請求項１または２に記載の腹臥位用敷き寝具セットであって、
前記胸部補助具は、幅方向及び長さ方向に沿って減少する高さを有している、腹臥位用敷き寝具セット。
【請求項４】
請求項１〜３のいずれか一項に記載の腹臥位用敷き寝具セットであって、
前記マットレス部は、前記使用者の胸部、腹部、腰部にそれぞれ対応する、胸部マットレス部、腹部マットレス部、腰部マットレス部を備えており、
前記胸部マットレス部は、前記腹部マットレス部及び前記腰部マットレス部よりも小さい幅を有している、腹臥位用敷き寝具セット。
【請求項５】
請求項４に記載の腹臥位用敷き寝具セットであって、
前記胸部マットレス部と、前記腹部マットレス部と、前記腰部マットレス部とは互いに分離されている、腹臥位用敷き寝具セット。
【請求項６】
請求項４または５に記載の腹臥位用敷き寝具セットであって、
前記腰部マットレス部は、長さ方向端面に開口する窪みを備えており、前記窪みは、前記腰部マットレス部を厚さ方向に貫通している、腹臥位用敷き寝具セット。
【請求項７】
請求項４または５に記載の腹臥位用敷き寝具セットであって、さらに、
前記腰部マットレス部と一体化された脚部マットレス部を備えている、腹臥位用敷き寝具セット。
【請求項８】
請求項１〜７のいずれか一項に記載の腹臥位用敷き寝具セットであって、さらに、
枕置きマットレス部を備えており、前記枕部は、前記枕置きマットレス部上に載置される、腹臥位用敷き寝具セット。
【請求項９】
請求項８に記載の腹臥位用敷き寝具セットであって、
前記枕置きマットレス部は、前記枕置きマットレス部を厚さ方向に貫通し且つ使用者の顎側で開放されている切欠き部を備えており、前記切欠き部は、前記枕部の呼気拡散部に対応する位置に配置される、腹臥位用敷き寝具セット。
【発明の詳細な説明】
【技術分野】
【０００１】
本発明は就寝から起床まで腹臥位姿勢を維持できる腹臥位用敷き寝具セットに関する。
【背景技術】
【０００２】
腹臥位療法は１９９８年に有働尚子（ＶＩＴＡ臨床生命学研究所所長）によって発表され、その後、日野原重明（聖路加病院医院長）、川嶋みどり（日本赤十字看護大学教授）らにより「腹臥位療法推進研究会」が毎年開催されている。腹臥位姿勢は、多くの疾患の改善に有効であり、腹臥位で寝ることにより、無呼吸症候群の改善、誤嚥・誤嚥性肺炎の予防、無気肺の背側排痰の促進、尿路系障害、認知症の改善、褥瘡予防、等々の優れた効果を有することが証明されている。しかし、腹臥位療法は、その優れた効果に拘らず、なかなか普及されないのが現状である。その原因は、例えば、顔面を約９０度横向きにして鼻がつかえない様にしなければならない、首に無理がかかる等、腹臥位寝姿勢が苦痛を伴うものと考えられていることにある。実際、ほとんどの人は腹臥位姿勢で長時間寝ることに慣れていないため、従来の敷き寝具を使用して腹臥位姿勢で長時間寝ることは、ほとんどの人にとって非常に難しい。
【０００３】
現在、様々な材質の敷き寝具が開発され、使用されてきた。例えば、綿、ウール、ポリエステル等があり、さらに、機能の異なる様々な材質が開発されている。また、低反発ウレタン、硬質ウレタン、ジェル、またはそれらの組み合わせ等により、機能性の異なる様々な敷き寝具が開発されている。
【０００４】
敷き寝具の材質は多くの種類がある一方、敷き寝具の形状は、通常、所定の厚みを有し、平坦な表面を有する矩形状である。保管形態としては三つ折り、四つ折り等あるが、使用時の形状は機能的に矩形状クッション体である。
【０００５】
近年、腹臥位専用の枕及び敷き寝具が考案されてきたが、長時間の腹臥位姿勢を維持するには不十分である。
【０００６】
就寝から起床までの長い時間、腹臥位姿勢を維持する為には、顔面の無理な横向き姿勢をしないことが望ましく、鼻の向きが、胸面及び床面に対し垂直に近いことが理想的である。従って、その条件を満たす合理的な顔面枕が必要とされている。
【０００７】
また、就寝から起床までの長い時間、腹臥位姿勢を維持する為には、健やかな呼吸をする為に、呼気の拡散を考慮した顔面枕が必要である。
【０００８】
さらに、就寝から起床までの間、人は、絶えず体位移動（寝返り）をしており、腹臥位姿勢であっても同様である。従って、様々な腹臥位姿勢に対してもストレスの少ない敷き寝具及び枕の提供が求められている。
【０００９】
特開平１０−１１７９０５号公報は、うつ伏せ寝用枕を記載している。枕は、額支持部と顎支持部を備え、額支持部と顎支持部の間に顔面周囲空間部が形成されている。特開２００７−１２５０８７号公報は、額パッドと頬パッドを備え、一対の頬パッド間の間隔が調整可能である伏臥用枕を記載している。実用新案登録第３０６５９６２号公報には、台座上に載置される円座部を備える眼科用枕が記載されている。特開２００６−３３４３６６号公報は、うつ伏せ枕及び枕カバーを記載しており、枕は、楕円形の顔面支持部と、呼気の流れを確保する横溝吸排気口を有している。
【００１０】
特許第４１０２２５９号公報は、眼科術後の患者に適用される腹臥位用枕と腹臥位用マットレスの組み合わせを記載している。特開２００２−２９１８１５号公報は、顔面パッド、胸部パッド、腹部パッド等に分割されたパーツを組み合わせた施術台を記載している。
【００１１】
特表平７−５０３３８６号公報は頭部側と脚部側に溝を形成した空気マットを記載している。特開２００９−２１９６７０号公報は、枕を使用せず腹臥位の頭部付近に凹部を設け、うつ伏せでも、呼吸が出来る、矩形状マットレスを記載する。特開２００８−３５９７０号公報は楕円形の厚さ方向に貫通する通気溝を設け、フィルター部材が設けられた矩形型クッション体を開示する。
【００１２】
実用新案登録第３１３１６９０号公報は、顔面を長円環形状の中空部材により宙吊り状態で支持するうつ伏せ寝用枕、及び呼気拡散のために外側に連通するパイプが埋め込まれたうつ伏せ寝用枕等を記載している。
【００１３】
特開２０１０−１１０６２０号公報は腹臥位用敷き寝具及び補助マット等を記載している。意匠登録第１３８７８０９号公報、意匠登録第１４３２１２７号公報は、それぞれ、うつ伏せ寝用枕を記載している。
【先行技術文献】
【特許文献】
【００１４】
【特許文献１】特開平１０−１１７９０５号公報
【特許文献２】特開２００７−１２５０８７号公報
【特許文献３】実用新案登録３０６５９６２号公報
【特許文献４】特開２００６−３３４３６６号公報
【特許文献５】特許第４１０２２５９号公報
【特許文献６】特開２００２−２９１８１５号公報
【特許文献７】特表平７−５０３３８６号公報
【特許文献８】特開２００９−２１９６７０号公報
【特許文献９】特開２００８−３５９７０号公報
【特許文献１０】実用新案登録第３１３１６９０号公報
【特許文献１１】特開２０１０−１１０６２０号公報
【特許文献１２】意匠登録第１３８７８０９号公報
【特許文献１３】意匠登録第１４３２１２７号公報
【発明の概要】
【発明が解決しようとする課題】
【００１５】
本発明は、長時間でも苦痛を伴わない腹臥位姿勢を可能とし、腹臥位療法を普及させ健康増進に寄与することのできる、腹臥位用敷き寝具セットを提供する。
【課題を解決するための手段】
【００１６】
請求項１の発明によれば、枕部と、マットレス部と、腹臥位姿勢にある使用者の胸部を支持するようにマットレス部上に載置される胸部補助具とを備える腹臥位用敷き寝具セットが提供される。枕部は、平面で見て使用者の額を支持可能な額部と、頬を支持可能な頬部と、両目を受け入れ可能な眼球溝と、鼻及び口を受け入れ可能な鼻口溝とを備えており、眼球溝と鼻口溝とは、枕部を厚さ方向に貫通する単一の呼気拡散部を形成するように互いに連通している。また、鼻口溝は、使用者の顎側で開放されている。
【００１７】
請求項２の発明によれば、請求項１に記載の腹臥位用敷き寝具セットであって、枕部における、平面で見て眼球溝の下方に、使用者の上顎骨を支持することのできる上顎骨部が形成されている、腹臥位用敷き寝具セットが提供される。
【００１８】
請求項３の発明によれば、請求項１または２に記載の腹臥位用敷き寝具セットであって、胸部補助具は、幅方向及び長さ方向に沿って減少する高さを有している、腹臥位用敷き寝具セットが提供される。
【００１９】
請求項４の発明によれば、請求項１〜３のいずれか一項に記載の腹臥位用敷き寝具セットであって、マットレス部は、使用者の胸部、腹部、腰部にそれぞれ対応する、胸部マットレス部、腹部マットレス部、腰部マットレス部を備えており、胸部マットレス部は、腹部マットレス部及び腰部マットレス部よりも小さい幅を有している、腹臥位用敷き寝具セットが提供される。
【００２０】
請求項５の発明によれば、請求項４に記載の腹臥位用敷き寝具セットであって、胸部マットレス部と、腹部マットレス部と、腰部マットレス部とは互いに分離されている、腹臥位用敷き寝具セットが提供される。
【００２１】
請求項６の発明によれば、請求項４または５に記載の腹臥位用敷き寝具セットであって、腰部マットレス部は、長さ方向端面に開口する窪みを備えており、窪みは、腰部マットレス部を厚さ方向に貫通している、腹臥位用敷き寝具セットが提供される。
【００２２】
請求項７の発明によれば、請求項４または５に記載の腹臥位用敷き寝具セットであって、さらに、腰部マットレス部と一体化された脚部マットレス部を備えている、腹臥位用敷き寝具セットが提供される。
【００２３】
請求項８の発明によれば、請求項１〜７のいずれか一項に記載の腹臥位用敷き寝具セットであって、さらに、枕置きマットレス部を備えており、枕部は、枕置きマットレス部上に載置される、腹臥位用敷き寝具セットが提供される。
【００２４】
請求項９の発明によれば、請求項８に記載の腹臥位用敷き寝具セットであって、枕置きマットレス部は、枕置きマットレス部を厚さ方向に貫通し且つ使用者の顎側で開放されている切欠き部を備えており、切欠き部は、枕部の呼気拡散部に対応する位置に配置される、腹臥位用敷き寝具セットが提供される。
【図面の簡単な説明】
【００２５】
【図１】本発明の一実施形態による腹臥位用敷き寝具セットの平面図及び側面図である。
【図２】図１に示す枕部の外観を示す図である。
【図３】枕部の平面図である。
【図４】枕部の端面図及び側面図である。
【図５】図３のＡ−Ａ断面図及びＢ−Ｂ断面図である。
【図６】図１に示す胸部補助具の平面図、側面図及び端面図である。
【図７】胸部補助具の使用想定図である。
【図８】本発明の他の実施形態による腹臥位用敷き寝具セットの平面図及び側面図である。
【図９】腰部マットレス部の切欠き部を示す平面図である。
【図１０】本発明の他の実施形態による腹臥位用敷き寝具セットの平面図及び側面図である。
【図１１】本発明の他の実施形態による腹臥位用敷き寝具セットの側面図である。
【図１２】本発明の他の実施形態による腹臥位用敷き寝具セットの側面図である。
【図１３】枕置きマットレス部の平面図及び枕置きマットレス部に枕部を載置した状態を示す平面図である。
【図１４】枕置きマットレス部の変形例を示す平面図である。
【図１５】本発明の他の実施形態による腹臥位用敷き寝具セットの平面図及び側面図である。
【図１６】腹臥位姿勢想定図である。
【図１７】（Ａ）〜（Ｆ）は腹臥位姿勢の例を示す図である。
【図１８】（Ａ）〜（Ｃ）は腹臥位時における顔面角度の説明図である。
【発明を実施するための形態】
【００２６】
以下、添付の図面を参照して本発明の実施形態を説明する。尚、添付の図面はいずれも概略図であり、各部分の寸法の比率は、必ずしも実寸どおりではない。
［腹臥位用敷き寝具セットの全体概要］
【００２７】
図１（Ａ）、（Ｂ）に、それぞれ、本発明の一実施形態による腹臥位用敷き寝具セットの平面図、側面図を示す。この腹臥位用敷き寝具セットは、枕部１と、マットレス部２と、使用者の胸部を支持するようにマットレス部２上に載置される胸部補助具３とを備えている。枕部１は、腹臥位姿勢にある使用者の頭部を支持し、従って、使用者の顔面を受ける部分である。枕部１は、使用者の鼻筋が床面に対し概ね垂直になるような顔面角度を実現でき、且つ、使用者が楽に呼吸出来るようにすることができるように呼気の速やかな拡散を促進する形状を備えている。また、顔面への圧力、寝返り姿勢、歯根への圧力、顎変形等についても考慮された構造を備えている。本発明の腹臥位用敷き寝具セットは、枕部１と、使用者の胸部、腹部、腰部にそれぞれ対応して配置される胸部マットレス部２Ａ、腹部マットレス部２Ｂ、腰部マットレス部２Ｃを備えるマットレス部２と、胸部マットレス部２Ａの上に載置して使用される胸部補助具３との組合わせにより、腹臥位姿勢を長時間無理なく維持することを可能にする。具体的には、本発明の腹臥位用敷き寝具セットにより、使用者は、呼吸が楽にでき又寝返り行動も出来るため、就寝から起床まで、腹臥位姿勢で楽に睡眠することができる。
【００２８】
図１６に、理想的な腹臥位姿勢の想定図を示す。人体の姿勢については、立位の時は頭部から脚部に掛け重力が垂直に働き、骨格のＳ字形曲線が強まるが、寝姿勢では、個々の部位に垂直の重力が働き、Ｓ字カーブはなだらかになることが知られている。従って、ストレスの少ない腹臥位姿勢を実現するには、図１６に示されるような、顔と敷き寝具Ｉとの間にある空間Ｇ及び胸面と敷き寝具Ｉとの間にある空間Ｈを考慮した腹臥位用敷き寝具を提供することが望まれる。本発明では、枕部１と胸部補助具３との組合わせによって、ほぼ理想的な顔面空間Ｇ及び胸面空間Ｈを形成することができる。さらに、マットレス部２を組合わせることによって、背中や腹部、腰部なども含めた使用者の身体全体について、より自然な、緊張状態のない寝姿勢を可能にする。尚、本発明の腹臥位用敷き寝具セットは、従来の敷き寝具、例えば、従来の敷き布団、マットレス、ベッド等の上に載置して使用される。
［枕部１について］
【００２９】
図２に枕部１の外観を示す。図３は、枕部１の平面図である。図４（Ａ）、（Ｂ）は、それぞれ、枕部１を長さ方向（図３の上下方向）に見た場合の枕部１の端面図であり、図４（Ａ）は、使用者の顎側を示す。図４（Ｃ）は、枕部１の側面図である。図５（Ａ）、図５（Ｂ）は、それぞれ、図３のＡ−Ａ断面図、Ｂ−Ｂ断面図である。
【００３０】
図３を参照して、枕部１は、平面で見て使用者の額（具体的には前頭骨付近）を支持する額部１Ａと、頬（具体的には頬骨及び側頭骨付近）を支持する頬部１Ｂと、両目を受け入れる眼球溝１Ｃと、鼻及び口を受け入れる鼻口溝１Ｄとを備えており、眼球溝１Ｃと鼻口溝１Ｄとは、枕部１を厚さ方向に貫通する単一の呼気拡散部を形成するように互いに連通しており、鼻口溝１Ｄは、平面で見て実質的に台形形状を有するように使用者の顎側で開放されている。
【００３１】
枕部１は、単に、使用者の頭部を支えるだけでなく、苦痛を伴わない硬度、すなわち、顔面圧力を吸収し、歯根及び顎関節に圧力が掛からない硬度を有するように構成される。具体的には、枕部１の材料として、例えば、約８０Ｎ以上約１６０Ｎ以下の硬度を有するウレタンフォームを使用することができる。また、異なる硬度を有するウレタンフォームの組合わせによって、顔面接触部を含む上部を柔らかく、下部を硬くすることにより、感触と厚み又は沈み込みを調整することができる。尚、本明細書中に示される硬度の値は、ＪＩＳ  Ｋ６４００−２に規定する方法で測定される値である。この試験法は、ウレタンフォームについてのものであるが、本発明の腹臥位用敷き寝具セットに用いられる材料は、ウレタンフォームに限定されることはなく、本明細書中に示される硬度の値と同等の硬度を有し、且つ、形状を維持することができるものであれば、他の材料を使用することもできる。
【００３２】
枕部１は、鼻腔を圧迫せず、呼気を流れ良く拡散させることができ、且つ、寝返りの際に様々な頭部位置に対応できる形状を備えている。
【００３３】
枕部１の寸法は、一例として、顔面の幅方向（図３の左右方向）に対応する幅Ｗ１が約４００ｍｍ、顔面の長さ方向（図３の上下方向）に対応する長さＬ１が約２５０ｍｍ、厚さＨ１（図４参照）が約６０ｍｍ〜約１００ｍｍである。また、眼球溝１Ｃの寸法は、一例として、幅Ｗ１´＝約１４０ｍｍ〜約１７０ｍｍ、長さＬ１´＝約３０ｍｍ〜５０ｍｍである。眼球溝１Ｃは、使用者の眼球を圧迫しないように使用者の両目を受け入れることができる位置に形成されるが、その幅Ｗ１´は、呼気の拡散を考慮して使用者の顔面の幅よりも大きいことが望ましい。人の頬弓幅の平均が、男子１５２ｍｍ、女子１４４ｍｍであることから、例えば、Ｗ１´＝約１５０ｍｍ〜約１６０ｍｍが好ましい。
【００３４】
鼻口溝１Ｄは、使用者の鼻及び口を受け入れるように形成されている。さらに、枕部１に単一の呼気拡散部を形成することができるように、眼球溝１Ｃに連通し、且つ、使用者の顎側に開放されている。従って、鼻口溝１Ｄは、平面で見て実質的に台形形状であってよいが、特に、図３の実施形態では、眼球溝１Ｃの下方に、使用者の上顎骨を支持することのできる上顎骨部１Ｅを形成し、且つ、鼻口溝１Ｄを使用者の顎側に広く開放するように、台形形状の斜辺部が鼻口溝１Ｄの内側に向かってわずかに膨出した略八の字形に形成されている。これにより、使用者の頭部をより安定して支持し、且つ、呼気の拡散を促進することができる。
【００３５】
このように形成された本実施形態の枕部１では、額部１Ａは、主に、腹臥位姿勢にある使用者の眼の上の前頭骨を支持し、頬部１Ｂは、主に、頬骨及び側頭骨を支持し、上顎骨部１Ｅは、主に、眼の下の上顎骨を支持することができるように形成されている。しかし、寝返り行動の姿勢によって、額部１Ａ、頬部１Ｂ、上顎骨部１Ｅに、他の部位を載せることもできる。
【００３６】
図１７（Ａ）〜（Ｆ）は、基本的な腹臥位姿勢の例を示す図であり、図１８（Ａ）〜（Ｃ）は、顔面角度を説明するための図である。図１７（Ａ）に示す腹臥位基本寝姿勢では、顔面は敷き寝具に対し平行であり、鼻は敷き寝具（図示省略）に対し垂直に位置している。この状態では、顔面は、図１８（Ａ）に示されるような角度位置にあることができ、使用者の頭部は、枕部１の額部１Ａ、頬部１Ｂ及び上顎骨部１Ｅによって支持され、呼気は、顔面の幅よりも広い眼球溝１Ｃと、顎側に開放された鼻口溝１Ｄを通って外部に拡散する。しかし、就寝から起床までこのままの姿勢でいることはほとんどなく、たとえば、この基本姿勢から、顔面角度が、図１８（Ｂ）に示すような前傾角度、または図１８（Ｃ）に示すような後屈角度に変化する可能性がある。図１８（Ｂ）に示す頭部が前傾した状態では、呼気のほとんどは、使用者の顎側に開放された鼻口溝１Ｄから拡散される。図１８（Ｃ）の後屈状態では、使用者の顎は下がり、額が上に傾いている。この場合、鼻口溝１Ｄの顎側開口部は、使用者の顎によって閉じられる傾向にあるが、鼻口溝１Ｄと眼球溝１Ｃが互いに連通しているので、呼気のほとんどを、眼球溝１Ｃを通して外部に拡散させることができる。
【００３７】
このように、枕部１を使用することによって、寝返りの際の様々な頭部位置に対応でき、上記顔面角度のいずれにおいても、呼気を流れ良く、スムーズに速く拡散させることができる。呼気の拡散が速いことにより、体内から出た高温（３４℃から３６℃）且つ高湿度の空気から顔面が解放され、鼻、口周辺の酸素濃度も正常であり、快適な睡眠を維持できる。
【００３８】
基本的な腹臥位姿勢は、図１７（Ｂ）〜（Ｄ）に示すような例もある。図１７（Ｂ）は膝を少し曲げ、顔を少し横向きにした、基本的な腹臥位寝姿勢の一つである。この場合、左側の頬部１Ｂの上に使用者の左頬骨・側頭骨が載り、呼気は鼻が開放されている為、楽に呼吸できる。また、図１７（Ｃ）、（Ｄ）の例は、顔の向きは図１７（Ｂ）と同じく横向きであるが、足及び腰の位置が異なる。これらの姿勢では、顔の横向き角度が大きくなる傾向がある。特に、図１７（Ｂ）〜（Ｄ）の姿勢で就寝した後は、寝返り行動によって、左側の頬部１Ｂの上に左頬骨・側頭骨が載った状態から、左頬骨・側頭骨が枕部１の中央位置に移動し、眼球溝１Ｃ上に耳が位置することもある。また、右側頬部１Ｂに左頬骨・側頭骨が載った、深いエビ形の姿勢になることもある。図１７（Ｅ）、（Ｆ）は、基本的な腹臥位姿勢の他の例である。
【００３９】
このように、基本的な腹臥位姿勢として様々な寝姿勢があり、また、就寝後の寝返り行動によっても、手の位置・角度、足の位置・角度、腰の位置・角度等々が異なる様々な寝姿勢になり得、それぞれ、重心位置が異なる。仰臥位における寝返り行動と同じく、腹臥位においても多くの寝返り行動が行われ、寝返り行動によって寝姿勢が変わると、筋肉の凝りが解消し、長時間の腹臥位姿勢を維持し易くなる。本発明における枕部１は、いかなる寝姿勢においても、顔面に対する圧迫感がなく、スムーズな呼気の拡散を可能にするので、快適な腹臥位姿勢を維持するために有効である。
[胸部補助具３について]
【００４０】
図６及び図７を参照して、本発明の腹臥位用敷き寝具セットに用いられる胸部補助具３を説明する。図６（Ａ）は、胸部補助具３の一例を示す平面図であり、図６（Ｂ）は側面図である。図６（Ｃ）、図６（Ｄ）は、それぞれ、図６（Ａ）に示す胸部補助具３の長さ方向から見た端面図である。図７は、胸部補助具３の使用想定図である。
【００４１】
ストレスの少ない腹臥位姿勢を実現するには、図１６に示すように、顔面と敷き寝具Ｉとの間にある空間Ｇ及び胸面と敷き寝具Ｉとの間にある空間Ｈが形成されていることが理想的である。従って、腹臥位姿勢の場合、単に、敷き寝具上に枕を置いただけでは、顔面が反り上がり、自然な寝姿勢になりにくいことが分かる。本発明では、理想的な空間Ｇ、Ｈを形成することができるように、胸部補助具３を枕部１と組合わせて使用する。
【００４２】
胸部補助具３は、例えば、図６に示すように、互いに異なる幅及び長さを有する複数の板状部分（本実施形態では４つの板状部分３Ａ〜３Ｄ）を上下に重ねて配置することにより形成することができる。これにより、胸部補助具３は、幅方向（図６の上下方向）及び長さ方向（図６の左右方向）に沿って徐々に減少する高さを有するように構成することができる。換言すれば、胸部補助具３は、腹臥位姿勢にある使用者の胸部中央から左右方向に且つ使用者の胸部から腹部に向けて徐々に減少する高さを有している。図６に示すように、第１の板状部分３Ａ、第２の板状部分３Ｂ、第３の板状部分３Ｃ、第４の板状部分３Ｄは、この順序で減少する幅及び長さを有しており、最も大きい幅及び長さを有する第１の板状部分３Ａが最下部に配置され、その長さ方向端部の一方の上面によって、使用者のオトガイ部を支持するオトガイ支持部３Ｅが形成される。従って、第１の板状部分３Ａ上にオトガイ支持部３Ｅを形成するように、第２〜第４の板状部分３Ｂ〜３Ｄは、それぞれの長さ方向縁部の一方が、第１の板状部分３Ａの長さ方向縁部から間隔をおいて配置され、且つ、互いに対して整列するように上下方向に重ねられる（図６（Ｂ）参照）。すなわち、第１の板状部分３Ａ上に、第２の板状部分３Ｂが配置され、第２の板状部分３Ｂに第３の板状部分３Ｃが配置され、第３の板状部分３Ｃに第４の板状部分３Ｄが配置される。こうして、最も小さい幅及び長さを有する第４の板状部分３Ｄは、胸部補助具３の最上部を形成し、その上面で使用者の鎖骨付近を支持することができる。これにより、腹臥位姿勢にある使用者の頚椎と胸椎の間のほぼ理想的な角度を維持することができる。理想的な腹臥位姿勢は、胸椎と頚椎との間に形成される角度が約１５度程度で両肩を落とした、大仏のような姿勢であると言われている。
【００４３】
一例として、厚さ８０ｍｍの枕部１、厚さ８０ｍｍの胸部補助具３、及び、厚さ５０ｍｍのマットレス部２（胸部マットレス部２Ａ、腹部マットレス部２Ｂ、腰部マットレス部２Ｃ）の組み合わせを用いて、体重６０ｋｇの使用者による使用実験を行った。マットレス部２として、ブレスエアー（登録商標）（東洋紡株式会社）を使用した。実験の結果、胸部マットレス部２Ａは、厚み１０ｍｍ程度まで圧縮され、胸部補助具３は、厚み約５０ｍｍ〜約６０ｍｍ程度まで圧縮され、胸椎と頚椎との間で良好な角度を形成することができた。
【００４４】
第１〜第４の板状部分３Ａ〜３Ｄは、胸部補助具３が全体として左右対称の形状を有するように位置合わせされる。こうして、第１〜第４の板状部分３Ａ〜３Ｄによって形成される一連の段部が、腹臥位姿勢にある使用者の胸部中央から左右方向、及び、使用者の胸部から腹部にかけて高さの減少する傾斜部を形成する。尚、本発明における胸部補助具３の「傾斜部」は、図６に示されるような、段階的に高さが減少するように配置された一連の段部であってよいが、一定の傾きを有する、連続したなめらかな表面からなる傾斜面であってもよい。
【００４５】
胸部補助具３の材料として、例えば、約１００Ｎ以上約１６０Ｎ以下の硬度を有するウレタンを用いることができる。尚、第４の板状部分３Ｄに約１６０Ｎの硬度を有するウレタンを使用しても、鎖骨付近は呼吸に関係せず、腹臥位時の胸部への圧力には十分耐えられる。
【００４６】
胸部補助具３全体としての高さ（すなわち、第１の板状部分３Ａの下面から第４の板状部分３Ｄの上面までの高さ）は、一例として、約６０ｍｍ〜約８０ｍｍである。胸部補助具３全体の幅（すなわち、第１の板状部分３Ａの幅）は、使用者の胸幅と同等であることが望ましく、例えば、最上部に位置する第４の板状部分３Ｄの幅を約２４０ｍｍとし、順次約４０ｍｍ（幅方向の左右それぞれにおいて約２０ｍｍ）ずつ広くしていくことができる。従って、第１の板状部分３Ａの寸法は、幅を約３６０ｍｍとすることができる。また、長さは、例えば、第４の板状部分３Ｄで約１００ｍｍとし、順次２０ｍｍずつ広くすることができ、オトガイ支持部３Ｅの寸法を含めると、第１の板状部分３Ａの長さは、約１８０〜２２０ｍｍとすることができる。しかし、使用者の胸幅、胸の厚さ、図１６の空間Ｈの大きさを考慮して、胸部補助具３の寸法は変わり得る。
【００４７】
第２〜第３の板状部分３Ｂ〜３Ｄには、図６に示すような、長さ方向端面に開口する切欠き部３Ｆを形成することが望ましい。切欠き部３Ｆにより、使用者が喉部への圧迫感を感じることなく、オトガイ支持部３Ｅにオトガイ部を載せるための空間を形成することができる。切欠き部３Ｆは、例えば、第２〜第３の板状部分３Ｂ〜３Ｄの長さ方向端面における開口部の幅を約１４０ｍｍとし、長さ方向の深さを約５０ｍｍとすることができる。切欠き部３Ｆの平面形状は、図６（Ａ）に示すような三角形状に限られず、楕円形又は他の形状であってよい。
【００４８】
尚、板状部分の数は特に限られない。このように、長さ方向に沿って高さが減少する胸部補助具３を使用することによって、使用者の胸部と敷き寝具との間の空間Ｈ（図１６）を、使用者に圧迫感を感じさせることなく形成することができ、ストレスのない自然な腹臥位姿勢を維持することができる。尚、胸部補助具３は、上記のように互いに別体の板状部分から形成されていなくてもよく、単一の部材であってもよい。また、上記したように、胸部補助具３の長さ方向及び幅方向に沿った高さは、段階的に減少する必要はなく、連続的に徐々に減少してよい。すなわち、胸部補助具３の傾斜部は、本実施形態のような段部によって形成される必要はなく、円滑な傾斜面であってもよい。従って、胸部補助具３は、一定の傾きで連続的に減少する高さを有する、例えば、全体に角錐台形状の形態を有していてもよい。
【００４９】
胸部補助具３は、長さ方向だけでなく、幅方向においても減少する高さを有しているが、その作用について、胸部補助具３の使用想定図を示す図７を参照して説明する。尚、図７では、枕部１は省略されている。上記したように、基本的な腹臥位姿勢は、手の位置、足の位置、腰の位置等によって、重心位置が変わり、重心位置の変化に伴って、敷き寝具に対する胸部の傾斜角度も変化する。例えば、図１７（Ａ）に示すような腹臥位基本寝姿勢では両手と腕により胸部面が敷き寝具と平行に支えられている。また、図１７（Ｂ）の例では、左腕は下げられ、右手と肘をツッパリ棒の様にして肩部を押し上げている。また、図１７（Ｃ）の例では、右足の位置によって身体を斜めにしている。図１７（Ｄ）では腰を入れ、右側面を開放している。このような胸部の異なる傾斜角度に対しても胸部補助具３は有効に作用することができる。なぜなら、図７に示すように、胸部補助具３の幅方向に沿った傾斜部は、使用者の身体が左右どちら側に傾斜しても、楔のように胸部と敷き寝具との間に食い込み、寝姿勢を安定させるからである。
【００５０】
就寝から起床までの長い時間、腹臥位姿勢を維持する為には、顔面の無理な横向き姿勢をしないことが重要であり、図１７（Ａ）の場合のように、胸面及び床面に対し実質的に垂直に近い鼻の向きを維持することが最も理想的である。しかし、上記したように、基本的な腹臥位姿勢には図１７（Ａ）に示すものの他にも様々あり、枕のみでは対応することが難しい場合がある。本発明における胸部補助具３は、幅方向（換言すれば、使用者の左右方向）に沿って減少する高さを有しているので、胸面が左右に傾斜する寝姿勢の場合でも、寝姿勢をストレスなく安定させることができる。また、胸面の左右の傾斜によって顔面の自然な横向き姿勢を得ることができる（胸面に対して垂直な方向に対し、約３０度以下の鼻筋角度があるとき、顔面はストレスのない横向き姿勢にある）ことから、胸部補助具３を使用することにより、胸面角度とストレスのない鼻筋角度との相乗効果により、腹臥位姿勢で楽に顔面の横向き姿勢がとれるようになる。
[マットレス部２について]
【００５１】
枕部１と胸部補助具３と共に、快適な腹臥位姿勢を維持するために、マットレス部２が効果的に使用される。腹臥位用マットレスにおいては、特に、人体への圧迫感を軽減するため、体重によるマットレスの沈み込みを考慮することが重要である。
【００５２】
本発明者の行った調査により、人体の体重に対する各部の重量の割合は、頭部が約７％、胸部が約２９％、腰部が約４３％、右腕が約３％、左腕が約３％、脚部が約１５％であるとの結果が得られた。尚、寝具の沈み込みを考察する際、仰臥位姿勢の場合、胸部と腕の重量を足し合わせる必要があるが、腹臥位姿勢の場合、腕の位置を考慮して（図１７（Ａ）〜（Ｅ）参照）、胸部と腕の数値は別個に扱う。
【００５３】
本発明において、マットレス部２は、図１に示すように、使用者の胸部、腹部、腰部にそれぞれ対応する、胸部マットレス部２Ａ、腹部マットレス部２Ｂ、腰部マットレス部２Ｃを備えている。
[胸部マットレス部２Ａについて]
【００５４】
胸部マットレス部２Ａには、胸部補助具３が載置される。以下の理由で、胸部マットレス部２Ａは、腹部マットレス部２Ｂ及び腰部マットレス部２Ｃよりも小さい幅を有していることが好ましい。
【００５５】
例えば、体重６０ｋｇの使用者の場合、胸部は、体重の約２９％、すなわち、１７ｋｇ程度であり、従って、胸部マットレス部２Ａは、約１７ｋｇの重量で圧縮される。例えば、図１７（Ａ）の腹臥位寝姿勢の場合、使用者の胸部自体は胸部マットレス部２Ａまたは胸部補助具３に沈み込むが、腕部（体重割合：約３％）は１．８ｋｇ程度の重量しかなく、この重さでは、肘は沈みにくい。従って、肘が背面近くまで持ち上げられるため、肩が広がり、胸を張った状態になる。これは不自然な寝姿勢であり、背中の筋肉が緊張状態になり、肩凝りの原因になる。これを解消するためには、腹臥位姿勢で腕を胸面より下方（換言すれば、立位の時の胸面より前側）に位置させることが望ましい。これは、胸部マットレス部２Ａの幅を、使用者の胸幅程度にすることにより実現できる。このとき、使用者の胸部は、胸部マットレス部２Ａまたは胸部補助具３上にあり、肘の下には胸部マットレス部２Ａが無いので、腕が胸面より下方に位置するからである（尚、上記したように、本発明の敷き寝具セットは通常の敷き寝具上に載置して使用されるため、このとき、腕は通常の敷き寝具に接触する）。尚、胸部マットレス部２Ａが沈み込まない場合でも、胸部マットレス部２Ａの幅は上記理由により、使用者の胸幅程度にした方が自然な寝姿勢になるので、好ましい。
【００５６】
上記したように、胸部マットレス部２Ａには、胸部補助具３が載置される。従って、胸部マットレス部２Ａの長さは、一例として、使用者のオトガイ部付近からみぞおち付近までの長さである。
尚、胸部マットレス部２Ａにおける胸部補助具３が載置される部分は、使用者の身体に直接接触しないため、必ずしも沈み込む必要はなく、従って、胸部マットレス部２Ａは、硬度１３０Ｎ以上で厚みを約２０ｍｍ〜約５０ｍｍ、好ましくは、約３０ｍｍに設定することができる。しかし、胸部マットレス部２Ａ全体が１３０Ｎ以上の硬度を有すると、後述する腹部マットレス部２Ｂに柔らかい材質（例えば、ブレスエアー（登録商標）（東洋紡株式会社））を使用した場合に、胸部マットレス部２Ａと腹部マットレス部２Ｂとの境界で沈み込みに大きな差が生じる。このとき、長時間の使用は人体に圧迫感を与える。また、境界付近は、女性の乳房が位置する部分でもあり、この部分で沈み込まないと不快感が生じ易い。
従って、異なる硬度を有する材質を組合わせることにより胸部マットレス部を形成してもよい。このような胸部マットレス部１２Ａを含むマットレス部１２を備える腹臥位用敷き寝具セットの例を図８に示す。一例として、女性の頚側点から乳頭間までの平均距離は約２１０ｍｍである。従って、例えば、胸部マットレス部１２Ａの枕部１側端部から約１５０ｍｍの長さ範囲の部分１１２Ａを硬度１３０Ｎ以上に設定し、部分１１２Ａを越えて腹部マットレス部１２Ｂ側端部までの部分１１２Ｂを８０Ｎ以下に設定することにより、上記のような圧迫感及び不快感を生じさせないようにすることができる。硬度の異なる２つの材質は、接着剤により接合することができる。尚、図８に示す腹臥位用敷き寝具セットは、胸部マットレス部１２Ａの構成が異なることを除いて、図１に示すものと実質的に同様である。
[腹部マットレス部２Ｂ及び腰部マットレス部２Ｃについて]
【００５７】
再び図１に参照して、腹部マットレス部２Ｂの長さは、一例として、使用者のみぞおち付近から前腸骨棘付近までの長さ、例えば、約２５０ｍｍ程度であり、幅は、通常の敷き寝具である布団又はシングルベッド等の通常の幅と同等の幅、例えば、約８００ｍｍ〜約９５０ｍｍが好ましい。
【００５８】
腰部マットレス部２Ｃの長さは、一例として、約２００ｍｍ〜約３００ｍｍである。腰部マットレス部２Ｃは、使用者の腸骨付近から膝関節上部すなわち腰部付近を膝頭より持ち上げ、腰の伸びきりを防ぎ、安楽な腹臥位姿勢を保持する機能を有する。従来の敷き寝具上で腹臥位姿勢になると、腹部及び腰部が体重のほとんどを占める（胸部：約２９％、腰部：約４３％）ので、腹部及び腰部が敷き寝具に沈み込み、一方、体重の約１５％を占める脚部の沈み込みはわずかである。この場合、敷き寝具上で、脚部は前腸骨より上部に位置し、結果的に腰が伸ばされる。腰が反ることは身体の構造上好ましくなく、長時間、腰が伸ばされた状態では腰の筋肉が緊張し、凝りを生ずるおそれがある。また、腰痛の原因にもなり得る。
【００５９】
この原因を取り除く為に、膝頭が腰部より沈んだ状態にするように、使用者の腰部の下に腰部マットレス部を配置することにより、腸骨に対して、膝は下方に沈んだ状態になり、安楽な寝姿勢を保持することができる。腰部マットレス部２Ｃの厚さは、一例として、約３０ｍｍ〜約８０ｍｍであるが、これは、腰部マットレス部２Ｃの硬度によって変わり得る。腰部マットレス部２Ｃの幅は、一例として、約８００ｍｍ〜約９５０ｍｍであり、これは、通常の敷き寝具の幅に相当する。腹部マットレス部２Ｂ及び腰部マットレス部２Ｃの幅が、使用者の肩幅程度又は肩幅以下であると、安心して寝返りが出来ないため、従来の敷き寝具の幅と同等にすることが好ましい。また、安心して寝返りできるように、平坦な上面を有し且つ矩形の平面形状を有することが好ましい。
【００６０】
また、胸部マットレス部２Ａと、腹部マットレス部２Ｂと、腰部マットレス部２Ｃとは互いに分離されていることが好ましい。換言すれば、腹部マットレス部２Ｂは、胸部マットレス部２Ａ及び腰部マットレス部２Ｃとは分離していることが好ましい。その理由は次の通りである。
【００６１】
人体の胸部は胸骨、肋骨で保護されており、腰部は腸骨で保護されているが、腹部は保護するものがなく、圧迫感を感じやすい。さらに、腹臥位になると胃その他の内臓は重力で背中側から垂れ下がった状態となるため、腹部マットレス部２Ｂが硬すぎると、腹部は腹部マットレス部２Ｂに沈みこまないため、圧迫感を感じる。
【００６２】
従って、腹部マットレス部２Ｂは、胸部マットレス部２Ａ及び腰部マットレス部２Ｃとは異なる硬度または高さを有することが好ましい。例えば、胸部マットレス部２Ａ、腹部マットレス部２Ｂ及び腰部マットレス部２Ｃをすべて同じ高さにする場合は、腹部マットレス部２Ｂは、胸部マットレス部２Ａ及び腰部マットレス部２Ｃよりも低い硬度を有することが好ましい。例えば、胸部マットレス部２Ａ及び腰部マットレス部２Ｃが硬度１２０Ｎ以上である場合、腹部マットレス部２Ｂの硬度は１００Ｎ以下が望ましい。これにより、腹部は自然とマットレス部に沈み込み、圧迫感なく長時間、ストレスのない腹臥位姿勢を保持できる。一方、胸部マットレス部２Ａ、腹部マットレス部２Ｂ及び腰部マットレス部２Ｃの硬度をすべて同じにする場合は、腹部マットレス部２Ｂの厚さを小さくすることが好ましい。これにより、腹部への圧力は軽減され、圧迫感なく長時間、ストレスのない腹臥位姿勢を保持できる。
【００６３】
また、無呼吸症候群の人は肥満体質の傾向がある。腹部が出ている使用者は、腹部マットレス部２Ｂを外した状態で敷き寝具セットを使用してもよい。これにより、胸部マットレス部２Ａと腰部マットレス部２Ｃの間に腹部を収めることが出来、安楽な腹臥位姿勢を保持できる（尚、本発明の敷き寝具セットは通常の敷き寝具上に載置して使用されるため、このとき、腹部は通常の敷き寝具に接触する）。
【００６４】
また、腰部マットレス部２Ｃには、下腹部及び股間の沈み込みを考慮して、長さ方向端面に開口する、図９のような窪み２Ｃ´を形成してもよい。窪み２Ｃ´は、腰部マットレス部２Ｃを厚さ方向に貫通している。窪み２Ｃ´の平面形状は、図９のような矩形でよいが、円形、三角形など、他の形状でもよい。窪み２Ｃ´を形成することにより、下腹部及び股間への圧力が軽減される。また、腹部マットレス部２Ｂと腰部マットレス部２Ｃの高さが異なる場合には、腹部マットレス部２Ｂに同様の窪みを形成することによって、下腹部に生ずる段差を感じさせなくすることができる。また、腹部（内臓）への圧力を軽減することもできる。
【００６５】
また、本発明では、マットレス部は、腰部マットレス部と脚部マットレス部を一体化させた、腰・脚部マットレス部を備えていてもよい。腰・脚部マットレス部を備えるマットレス部２２を用いた腹臥位用敷き寝具セットの例を図１０に示す。図１０の腹臥位用敷き寝具セットは、図１に示すマットレス部２に代えて、胸部マットレス部２２Ａ、腹部マットレス部２２Ｂ、腰・脚部マットレス部２２Ｃからなるマットレス部２２を備えている点で、図１の実施形態とは異なっている。しかし、胸部マットレス部２２Ａ及び腹部マットレス部２２Ｂの構成は、図１の実施形態のものと同様であるので、ここでは説明しない。腰・脚部マットレス部２２Ｃは、前腸骨棘付近から足首付近までを載置する部分として設けられる。
【００６６】
また、本発明では、腰部マットレス部３２Ｃ´を腰・脚部マットレス部３２Ｃ´´上に配置する、図１１に示すような構成を備えていてもよい。この場合、腰部マットレス部３２Ｃ´は、腰・脚部マットレス部３２Ｃ´´に面ファスナー等で接合されてもよいし、腰・脚部マットレス部３２Ｃ´´と一体化されていてもよい。尚、図１１の腹臥位用敷き寝具セットは、図１０に示すマットレス部２２に代えて、胸部マットレス部３２Ａ、腹部マットレス部３２Ｂ、腰部マットレス部３２Ｃ´及び腰・脚部マットレス部３２Ｃ´´からなるマットレス部３２を備えている点で、図１０の実施形態とは異なっている。しかし、胸部マットレス部３２Ａ及び腹部マットレス部３２Ｂの構成は、図１０の実施形態のものと同様であるので、ここでは説明しない。
また、本発明では、腰・脚部マットレス部を腹部マットレス部の下部まで延長した図１２のような構成を備えていてもよい。この場合、互いに別体である腹部マットレス部４２Ｂと腰部マットレス部４２Ｃ´を腰・脚部マットレス部４２Ｃ´´上に固定することができるため、就寝の度に腹部マットレス部４２Ｂと腰部マットレス部４２Ｃ´の位置を調整する必要がない。この固定は、面ファスナー等で着脱可能に行なわれてもよいが、製造時に腹部マットレス部４２Ｂと腰部マットレス部４２Ｃ´を腰・脚部マットレス部４２Ｃ´´に一体化させてもよい。尚、腹部マットレス部４２Ｂと腰部マットレス部４２Ｃ´との間の間隔は、ストレスを感じない程度に、例えば、約２０〜４０ｍｍに設定することができる。また、上記のように、使用者の体型によっては腹部マットレス部４２Ｂは使用せずに取り外してもよい。尚、図１２の腹臥位用敷き寝具セットは、図１１に示すマットレス部３２に代えて、胸部マットレス部４２Ａ、腹部マットレス部４２Ｂ、腰部マットレス部４２Ｃ´及び腰・脚部マットレス部４２Ｃ´´からなるマットレス部４２を備えている点で、図１１の実施形態とは異なるが、マットレス部４２は、腰・脚部マットレス部４２Ｃ´´が腹部マットレス部４２Ｂの下部まで延びている点でのみ、図１１のマットレス部３２と異なっている。
[枕置きマットレス部について]
【００６７】
腹臥位姿勢になると、口や肺の中の水分が移動すると共に、よだれとして外部に出され、また痰の出も良くなるため、肺機能が改善すると言われているが、一方で、よだれ、鼻水による汚れに対する対策も必要となる。従って、枕部１と胸部マットレス部２Ａとの間にタオル等の汚れ防止布を配置することが望まれる場合があるが、その場合、タオル等が鼻口溝１Ｄの一部を埋めてしまい、呼気の流れを阻害する場合がある。また、胸部マットレス部２Ａの沈み込みが不十分で、適切な顔面の高さ及び胸椎と頚椎の間の角度を保持しにくい場合がある。
【００６８】
従って、本発明の腹臥位用敷き寝具セットは、枕部１を載置するための枕置きマットレス部４を備えていてもよい。以下、図１３及び図１４を参照して、枕置きマットレス部４について説明する。枕置きマットレス部４を使用することにより、例えば、胸部マットレス部２Ａの沈み込みが不十分な場合に、適切な顔面の高さ及び胸椎と頚椎の間の角度を保持することができる。また、後述するような切欠き部を枕置きマットレス部４に形成することにより、枕部１の呼気拡散部を実質的に拡張し、汚れ防止布を配置した場合でも十分に呼気を拡散させることができる。図１３（Ａ）は、枕置きマットレス部４の平面図であり、図１３（Ｂ）は、枕置きマットレス部４に枕部１を載置した状態を示す平面図である。枕部１は、枕置きマットレス部４の上面に、例えば、マジックテープ（登録商標）等の面ファスナー５を取り付けること等によって、枕置きマットレス部４に固定することができる。
【００６９】
枕置きマットレス部４は、その上面に枕部１を安定して載置するのに十分な外形寸法を備えており、幅は、例えば、約３５０ｍｍ〜約４００ｍｍ、長さは、約２５０ｍｍ〜約３００ｍｍである。厚さは、マットレス部２と同様の厚さ、例えば、約２０ｍｍ〜約８０ｍｍ程度にすることができる。特に、厚さを約３０ｍｍ以上にすると、よだれ防止布等によって呼気の流れが阻害されることを効果的に防止することができる。
【００７０】
枕置きマットレス部４の硬度は、頭部を支持する際に大きく沈み込まないように、約１００Ｎ以上であることが好ましい。枕置きマットレス部４は、枕部１の呼気拡散部に対応する位置に配置される切欠き部４Ａを備えており、切欠き部４Ａは、枕置きマットレス部４を厚さ方向に貫通し且つ使用者の顎側で開放されている。
【００７１】
切欠き部４Ａは、例えば、図１３（Ａ）に示すように、平面で見て実質的に三角形状の溝である。使用時は、図１３（Ｂ）に示すように、枕部１の眼球溝１Ｃ、鼻口溝１Ｄ、及び、眼球溝１Ｃと鼻口溝１Ｄの下方に位置する切欠き部４Ａを通して呼気を拡散させることができる。こうして、枕部１の呼気拡散部は実質的に拡張され、呼気の拡散をよりスムーズに行うことができる。また、使用者の顔面から通常の敷き寝具までの垂直方向距離が大きくなるので、よだれ防止布等を設置しても、呼気の流れが阻害されることがない。
【００７２】
このように、枕置きマットレス部４は、切欠き部４Ａを備えるのみの簡単な構造であるため、使用者の頭部を支持する枕部１の力点を、枕置きマットレス部４の上面で確実に支持し、頭部を安定させることができる。従って、切欠き部の平面形状は、図１３のような三角形状には限られず、図１４の様に台形でもよく、その他の矩形や、丸みのある形状でもよいが、枕部１に顔面が載ったときの力点の応力で顔面を支持するのに十分な面積を確保することが望ましい。
【００７３】
例えば、図１８（Ｃ）に示すような、顎が下がり、額が上に傾いた状態の顔面角度の場合、枕部１のみでは、鼻口溝１Ｄが顎で閉じられるので、呼気のほとんどは眼球溝１Ｃを通って拡散する。しかし、枕置きマットレス部４を使用することにより、実質的に鼻口溝１Ｄの溝を深くすることができるため、眼球溝１Ｃ及び鼻口溝１Ｄを通して、呼気の拡散をスムーズに行うことができる。尚、枕置きマットレス部４の材質は、肌に触れた場合の感触等を考慮して、発泡樹脂を使用することが好ましい。枕置きマットレス部４は、図１、図８、図１０乃至図１２に示す腹臥位用敷き寝具セットのいずれとも組合わせて用いることができる。例として、図１に示す枕部１、マットレス部２及び胸部補助具３に枕置きマットレス部４を組合わせた場合の腹臥位用敷き寝具セットの例を図１５に示す。
【００７４】
尚、マットレス部２、１２、２２、３２、４２及び枕置きマットレス部４の材質は、通常の敷き寝具に使用されている材質のものでよく、例えば、綿、エステル綿、ウール、パーム、ウレタン、合成樹脂製の三次元構造体、またはこれらの組合わせ等から形成することができる。特に、腹部マットレス部２Ｂ、１２Ｂ、２２Ｂ、３２Ｂ、４２Ｂ及び腰部マットレス部２Ｃ、１２Ｃ、３２Ｃ´、４２Ｃ´または腰・脚部マットレス部２２Ｃ、３２Ｃ´´、４２Ｃ´´は、夏季用と冬季用とで異なる材質を用いてもよい。例えば、夏季用にブレスエアー（登録商標）（東洋紡株式会社）や無膜ウレタン等の多孔質の材料を使用することにより、熱帯夜でも快適に腹臥位姿勢を維持することができる。冬季用には、上述のエステル綿、ウール、ポリウレタン等の一般寝具材質を使用してよい。
また、夏季用の材質を包むには、吸汗・速乾性の生地、例えば、エアロタッシェ（登録商標）（東レ株式会社）等を使用し、冬季用の材質を包むには、吸湿発熱繊維、モイスケア（登録商標）（東洋紡株式会社）等を用い、リバーシブル構成にすることにより、一年を通じて快適な敷き寝具として用いることができる。しかし、各部マットレスの外皮は通常の敷き寝具に使用される、綿生地、エステル、エステル・綿混紡生地、キルト地、ハニカム生地、合成皮革等、またはその組み合わせ等の外皮を用いることができる。特に、枕置きマットレス部４及び胸部マットレス部２Ａ、１２Ａ、２２Ａ、３２Ａ、４２Ａの外皮を、合成皮革等の防水効果のある材質にすると、よだれ等による汚れの処理を容易に行うことができる。腹部マットレス部２Ｂ、１２Ｂ、２２Ｂ、３２Ｂ、４２Ｂ、腰部マットレス部２Ｃ、１２Ｃ、３２Ｃ´、４２Ｃ´または腰・脚部マットレス部２２Ｃ、３２Ｃ´´、４２Ｃ´´は、違和感のない感触等を考慮して、同一素材であることが好ましい。
【図１】
2014150979.tif 000003
【図２】
2014150979.tif 000004
【図３】
2014150979.tif 000005
【図４】
2014150979.tif 000006
【図５】
2014150979.tif 000007
【図６】
2014150979.tif 000008
【図７】
2014150979.tif 000009
【図８】
2014150979.tif 000010
【図９】
2014150979.tif 000011
【図１０】
2014150979.tif 000012
【図１１】
2014150979.tif 000013
【図１２】
2014150979.tif 000014
【図１３】
2014150979.tif 000015
【図１４】
2014150979.tif 000016
【図１５】
2014150979.tif 000017
【図１６】
2014150979.tif 000018
【図１７】
2014150979.tif 000019
【図１８】
2014150979.tif 000020